(57)【要約】【構成】スチール家具の抽斗前面板１と、抽斗裏蓋８間の側部に作動棒４の端部に固設した作動板６及びラッチ５を収納できるようにしたラッチケース７を設け、ラッチ５は、ラッチケース７に設けた開口から後方に突出せしめるように設け、抽斗容器本体縦框の抽斗裏蓋８に対面する面部に開口部を設け、この開口部をラッチカバー１３で覆いそのラッチカバー１３に前記ラッチ５をばねの弾発力を利用して係止し、上記作動棒４を抽斗前面板１に設けた引手部２のレバー３により回動させて上記ラッチ５の係止を解除できるようにしたスチール家具におけるラッチ装置。【効果】極めてコンパクトにまとめられていて、作動が確実で正確である。また、抽斗の幅が変化しても単に作動棒の長さを変更するだけで、その各抽斗に対応できるので汎用性がある。【選択図】      図２
2004167037.tif 000002
【特許請求の範囲】
【請求項１】
スチール家具の抽斗前面板と、抽斗裏蓋間の側部に作動棒の端部に固設した作動板及びラッチを収納できるようにしたラッチケースを設け、ラッチは、ラッチケースに設けた開口から後方に突出せしめるように設け、抽斗容器本体縦框の抽斗裏蓋に対面する面部に開口部を設け、この開口部をラッチカバーで覆いそのラッチカバーに前記ラッチをばねの弾発力を利用して係止し、上記作動棒を抽斗前面板に設けた引手部のレバーにより回動させて上記ラッチの係止を解除できるようにしたことを特徴とするスチール家具におけるラッチ装置。
【請求項２】
抽斗容器本体縦框の抽斗裏蓋に対面する面部に形成した開口部に変えて抽斗容器本体の側板の内部にある側板補強板に係止棒を設け、この係止棒にラッチを係止するようにしことを特徴とする請求項１記載のスチール家具におけるラッチ装置。
【発明の詳細な説明】
【０００１】
【発明の属する技術分野】
本発明は、ファイリングキャビネット、書庫、ロッカー、机等のスチール家具におけるラッチ装置に関するものである。
【０００２】
【従来の技術】
従来、引出の前鏡板裏面にビス止め可能とした取付台にラッチを突設したラッチ軸をばねを附設して回動自在に設けると共に引手裏側に突設したブラケットと上記取付台のブラケット間に引手内面に視くようにラッチレバーを突設したロッドを架設支持し、且該ロッド先端の操作部を前記ラッチ軸端と圧接せしめてなるスチール家具に於ける引出のラッチ装置（例えば、特許文献１）が従来から知られているところである。
【０００３】
【特許文献１】
実開昭５９−５１９６５号のマイクロフィルム（第２〜５頁、第１図、第２図、第３図）
【０００４】
【発明が解決しようとする課題】
しかしながら、前記スチール家具に於ける引出のラッチ装置は構造が複雑で、スムーズに作動が成されないことが生じるという問題点があった。また、引出の幅が変化した場合、作動棒を逆Ｌ字形に折り曲げて、その先端によってラッチを作動させる構造のため、引出の幅の違いによってそれぞれに対応する作動棒を用意する必要があるという問題点があった。
【０００５】
本発明は、前記問題点の解決を図ったものであり、スチール家具の抽斗前面板と、抽斗裏蓋間の側部に作動棒の端部に固設した作動板及びラッチを収納できるようにしたラッチケースを設け、ラッチは、ラッチケースに設けた開口から後方に突出せしめるように設け、抽斗容器本体縦框の抽斗裏蓋に対面する面部に開口部を設け、この開口部をラッチカバーで覆いそのラッチカバーに前記ラッチをばねの弾発力を利用して係止し、上記作動棒を抽斗前面板に設けた引手部のレバーにより回動させて上記ラッチの係止を解除できるスチール家具におけるラッチ装置及び、ラッチの係止用の係止棒を抽斗容器本体の側板の内部にある側板補強に設けた前記スチール家具におけるラッチ装置を提供することを目的とするものである。
【０００６】
【課題を解決するための手段】
本発明は、前記課題の解決を図ったもので、次のような技術手段を採用した。請求項１記載の発明においては、スチール家具の抽斗前面板と、抽斗裏蓋間の側部に作動棒の端部に固設した作動板及びラッチを収納できるようにしたラッチケースを設け、ラッチは、ラッチケースに設けた開口から後方に突出せしめるように設け、抽斗容器本体縦框の抽斗裏蓋に対面する面部に開口部を設け、この開口部をラッチカバーで覆いそのラッチカバーに前記ラッチをばねの弾発力を利用して係止し、上記作動棒を抽斗前面板に設けた引手部のレバーにより回動させて上記ラッチの係止を解除できるという技術手段を採用した。
【０００７】
請求項２記載の発明においては、請求項１記載の抽斗容器本体縦框の抽斗裏蓋に対面する面部に形成した開口部に変えて抽斗容器本体の側板の内部にある側板補強に係止棒を設け、この係止棒にラッチを係止するという技術手段を採用した。
【０００８】
【実施例】
以下、本発明の具体的な一実施例について説明する。
図１は、本発明のスチール家具の抽斗に設けたラッチ装置の分解説明図である。
ここで図１に基づいてラッチ装置全体の構造を概略説明する。
抽斗の前面板１の上部中央に引手２を設け、この引手２を操作することで引手２内面に視いているレバー３を回動させ、このレバー３が固設された作動棒４を回動させる。さらに、該作動棒４の端部（両端あるいは一端）（図１に示したものは両端部に設けたもの）には、ラッチ５を作動させるための作動板６が取り付けられている。このラッチ５と作動板６は、ラッチケース７内に収納され作動するように図３、図４に示すように構成されている。また、ラッチケース７は抽斗裏蓋８と前面板１間の端部に設けられる。
【０００９】
次に、その詳細を図１〜図４に基づいて説明する。
ファイリングキャビネット、書庫、ロッカー、机等のスチール家具における抽斗に用いるラッチ装置で、１は抽斗の前面板、２は引手、３はレバー、４は作動棒、５はラッチ、６は作動板、７はラッチケース、８は抽斗裏蓋である。
【００１０】
これら各部材は、以下のように構成することでラッチ装置の作動を得るものである。抽斗の前面板１と裏蓋８間にラッチケース７を取り付け、このラッチケース７内にラッチ５と作動棒４の端部（両端あるいは一端）に設けた作動板６を連係するように設ける。さらに、作動棒４の適宜位置（引手２に対向する位置）にレバー３を設け、このレバー３を引手２の部分で操作できるように設けてあるので、引手２の開口部からレバー３を引き上げるようにすることで、レバー３に固定された作動棒４が回動する。この回動で作動棒４の端部に設けられた作動板６に係合したラッチ５の作動突部９を回動させ、ラッチの係止を解除するように作用する。
【００１１】
それは、抽斗を本体に収納するとレバー３は常時ばね（図示されていない）によって付勢されて図４に示すように垂直状態になり、ラッチ５の作動突部９が傾斜状態でラッチ５は開口部である係止孔１２と係止状態になるものである。
【００１２】
次に、抽斗を引き出す上でラッチ５の係止を解除するには、引手２の部分よりレバー３を握って手前に引き上げるようにすると、作動棒４が回動し、端部に設けた作動板６が手前側に回動し、図３に示すようにラッチ５の作動突部９を傾斜状態から垂直状態に回動させ、これによってラッチ５は回動して係止孔１２との係止状態が解除されて抽斗を引き出せるようにしたものである。
【００１３】
この際、ラッチ５が抽斗容器本体のどの部位に係止できるようにするか、具体的な例を示すと、その第一実施例は、先にも説明したように図２に示すように抽斗容器本体の側板１０を折り曲げ、端部１１に係止孔１２を形成し、係止孔１２にはプラスチック、合成ゴム等からなる弾性ラッチカバー１３を取り付けてあり、このラッチカバー１３の部分から係止孔１２にラッチ５が係合するものである。
【００１４】
次に、ラッチ５が抽斗本体の他の部位に係止できるものとして、図５に基づいて第二実施例を説明する。
側板１０の裏板１４に係止棒１５を固設し、この係止棒１５にラッチ５を係脱できるようにしたもので、その他の構成、作動は前記実施例で説明したものと同一であるので詳細な説明は省略する。
【００１５】
【発明の効果】
本発明は、以上の構成を採用した結果、次のような効果を得ることができる。
（１）極めてコンパクトにまとめられていて、作動が確実で正確である。
（２）抽斗の幅が変化しても単に作動棒の長さを変更するだけで、その各抽斗に対応できるので汎用性がある。
【図面の簡単な説明】
【図１】本発明の一実施例であるラッチ装置における要部を分解して示す斜視図である。
【図２】本発明の抽斗本体側板の折り曲げ端部にラッチ係止孔を設けたラッチ装置の組立断面を示す図４におけるＢ−Ｂ矢視図である。
【図３】本発明のラッチ装置が解除状態になったところを示す一部断面図である。
【図４】本発明のラッチ装置が係止状態になったところを示す図２におけるＡ−Ａ矢視による一部断面図である。
【図５】抽斗本体側板の内側にラッチ係止棒を設けた実施例を示す組立断面図である。
【符号の説明】
１‥‥前面板                          ２‥‥引手
３・・・・レバー                          ４・・・・作動棒
５・・・・ラッチ                          ６・・・・作動板
７・・・・ラッチケース                    ８・・・・抽斗裏蓋
９・・・・作動突部                      １０・・・・側板
１１・・・・折り曲げ端部                  １２・・・・係止孔
１３・・・・ラッチカバー                  １４・・・・裏板
１５・・・・係止棒
【図１】
2004167037.tif 000003
【図２】
2004167037.tif 000004
【図３】
2004167037.tif 000005
【図４】
2004167037.tif 000006
【図５】
2004167037.tif 000007